(57)【要約】【課題】記録／再生装置におけるローディング機構において、新規に部品を追加せず、また装置を大型化することなく、トレイ排出状態における当該トレイの保持性を向上させる。【解決手段】トレイ３のフレーム７からの外れ防止を実現し、さらに大型化しないように、フレーム７のボス２１とトレイ３の溝部２３との嵌合量を大きくするため、トレイ３の溝部２３における両側壁を等しく延出せずに、トレイ３の溝部２３における側壁の外側２４ａのみを延出させて、ボス２１と溝部２３との実質的な嵌合深さを増加させる。【選択図】    図４
2004227655.tif 000002
【特許請求の範囲】
【請求項１】
情報記録媒体が載置されるトレイと、このトレイを情報記録媒体に対して記録／再生を行うための第１の位置と情報記録媒体の取り出しを可能にする第２の位置との間を移動させるためのローディング機構とを備えた記録／再生装置において、
前記トレイと、該トレイを保持する保持部材とのいずれか一方にトレイガイド用の溝部を設け、他方に該溝部に遊嵌するトレイガイド用の突起部を設け、前記溝部と前記突起部との嵌合量を、前記トレイにおける情報記録媒体載置部の中央部分から近い部位と遠い部位とで異なるように設定したことを特徴とする記録／再生装置におけるローディング機構。
【請求項２】
前記トレイにおける情報記録媒体載置部の中央部分から遠い部位の方が近い部位に比べて前記嵌合量が大きくなるように設定したことを特徴とする請求項１記載の記録／再生装置におけるローディング機構。
【請求項３】
前記溝部の両側における情報記録媒体載置部の中央部分から遠い部位の方の延出量を、近い部位に比べて長くしたことを特徴とする請求項１または２記載の記録／再生装置におけるローディング機構。
【請求項４】
前記突起部における情報記録媒体載置部の中央部分から遠い部位の方の側面を、近い部位に比べて長くしたことを特徴とする請求項１〜３いずれか１項記載の記録／再生装置におけるローディング機構。
【請求項５】
前記保持部材に前記突起部を設け、前記トレイに前記突起部を跨いで遊嵌するように前記溝部を設けたことを特徴とする請求項１〜４いずれか１項記載の記録／再生装置におけるローディング機構。
【請求項６】
前記トレイに設けられた前記溝部の両側における情報記録媒体載置部の中央部分から遠い部位に対向する前記保持部材に凹部を設けたことを特徴とする請求項５記載の記録／再生装置におけるローディング機構。
【発明の詳細な説明】
【０００１】
【発明の属する技術分野】
本発明は、光ディスクなどの情報記録媒体に対する記録／再生を行うための記録／再生装置に搭載され、情報記録媒体を載置したトレイを、情報記録媒体に対して記録／再生を行う第１の位置と情報記録媒体の取り出しを行う第２の位置との間で移動させるためのローディング機構に関するものである。
【０００２】
【従来の技術】
従来、この種のローディング機構においてはトレイを安定して保持および移動ガイドするために、特許文献１，２に例示する構成などが採用されている。
【０００３】
図６〜図８を参照して従来のローディング機構を具備した光ディスクドライブ装置について説明する。図６は光ディスクドライブ装置を説明するための斜視図であり、装置本体１には、ＣＤ−ＲＯＭなどの情報記録媒体としての光ディスク２が載置されるトレイ３と、該トレイ３を内部に収容して光ディスク２に対して光学的に記録／再生を行うための光ピックアップ（図示せず）と、トレイ３を、光ディスク２に対して記録／再生を行う第１の位置（トレイが装置本体に収納された状態の位置）と光ディスク２の取り出しを行う第２の位置（トレイが図６に示すように装置本体外に出ている状態の位置）との間で移動させるためのローディング機構（図示せず）などが内設されている。
【０００４】
装置本体１は、箱状のカバー４と、該カバー４の前面側を塞ぐ状態で設けられた前面パネル５とからなり、前面パネル５は、ほぼ中央部に矩形の開口５ａが形成され、該開口５ａの近傍には、トレイ３を開閉するイジェクトボタン６が設けられている。イジェクトボタン６をオンすることにより、トレイ３は前面パネル５の開口５ａを通って装置本体１の内部と外部を矢印Ａ，Ａ’方向に往復移動可能な構造となっている。
【０００５】
トレイ３は、例えばプラスチックなどから構成され、トレイ３上面の光ディスク２が載置されるディスク載置部３ａには段付きの略円形の凹部が形成されている。またトレイ３には、図６におけるＺ軸方向に貫通して開口３ｂが形成されている。
【０００６】
図７は前記トレイと前記装置本体内の保持部材との関連構成を示す断面図であり、トレイ３のＹ方向における両側端部のそれぞれには、底部にＸ軸方向を長手方向とする溝部８ａが形成されたガイド部８が設けられている。一方、装置本体１内部に設けられた保持部材であるフレーム７には、ドライブ装置を構成する機構や部品などが設置され、さらにフレーム７のＹ方向における両側端部のそれぞれには、端部がＺ方向に向く突起部であるボス９がＸ方向にほぼ平行な一直線上に複数（図７では一対のみを図示している）設けられている。
【０００７】
そして溝部８ａをボス９に遊嵌させることによって、トレイ３はボス９に沿って、図６の矢印Ａ，Ａ’方向にスライド移動（摺動）可能になっている。また、溝部８ａとボス９との嵌合が外れないように保持するために、トレイ３のＹ方向における両側端上部のそれぞれをボス９方向に押圧するトレイ押え部１０がフレーム７の両側にそれぞれ複数個が突設されている。
【０００８】
【特許文献１】
特開２００２−２０８２０６号公報
【特許文献２】
特許第２９２５９１９号公報
【０００９】
【発明が解決しようとする課題】
ところで、近年の情報機器類の急速な普及により、これらの装置に対する取り扱いに必ずしも習熟していないユーザにより使用される場合が増えてきている。また、家庭環境での使用も急激に増えているため、幼児が上述した構成のドライブ装置に触れる機会も増えている。このような環境下で使用された場合、ユーザの誤った使用、あるいは意図しない装置への接触などによって、トレイ３が前記第２の位置にあって、そこで大きな外力を加わえてしまうことが十分考えられる。そして、このような場合でもドライブ装置は正常に動作することが望まれる。
【００１０】
上述したドライブ装置において、トレイ３に外力が作用した場合を考えると、図８（ａ）に示すように、フレーム７のボス９とトレイ３の溝部８ａとは、若干の隙間を持って遊嵌し、相対的に移動可能に保持されており、外力が加わると図８（ｂ）に示すように、ボス９と溝部８ａの周辺部分が弾性変形して、大きな衝撃が加わったとき、最悪の場合には図８（ｃ）に示すように、トレイ３がフレーム７のガイド用のボス９から外れ、嵌合状態に復帰できない状態になってしまうという問題がある。
【００１１】
このようなトレイ３におけるガイド部８のボス９からの外れを防止するため、溝部８ａとボス９との嵌合領域を長くかつ深くすることが考えられるが、このような構造にするためには、トレイのローディング機構において占有する高さ寸法などを大きくする必要がある。このように機構が大きくなることによって、装置全体が大型化するだけでなく、ローディング機構近傍に実装される電子部品などの種類に制約を与えるなど、別の問題を発生させてしまうことになる。
【００１２】
本発明の目的は、前記従来の問題を解決し、新規に部品を追加せず、また装置を大型化することなく、トレイ排出状態における当該トレイの保持性を向上させることができるようにした記録／再生装置におけるローディング機構を提供することにある。
【００１３】
【課題を解決するための手段】
前記目的を達成するため、請求項１に記載の発明は、情報記録媒体が載置されるトレイと、このトレイを情報記録媒体に対して記録／再生を行うための第１の位置と情報記録媒体の取り出しを可能にする第２の位置との間を移動させるためのローディング機構とを備えた記録／再生装置において、前記トレイと、該トレイを保持する保持部材とのいずれか一方にトレイガイド用の溝部を設け、他方に該溝部に遊嵌するトレイガイド用の突起部を設け、前記溝部と前記突起部との嵌合量を、前記トレイにおける情報記録媒体載置部の中央部分から近い部位と遠い部位とで異なるように設定したことを特徴とし、この構成によって、トレイガイド用の溝部と突起部との嵌合領域を大きくしてトレイの保持性の向上を図っても、トレイガイド部分の周辺部全体を大きくすることにならない。
【００１４】
請求項２に記載の発明は、請求項１記載の記録／再生装置におけるローディング機構において、トレイにおける情報記録媒体載置部の中央部分から遠い部位の方が近い部位に比べて嵌合量が大きくなるように設定したことを特徴とし、この構成によって、トレイの外れを効果的に抑えることができる。
【００１５】
請求項３に記載の発明は、請求項１または２記載の記録／再生装置におけるローディング機構において、溝部の両側における情報記録媒体載置部の中央部分から遠い部位の方の延出量を、近い部位に比べて長くしたことを特徴とし、この構成によって、嵌合量が多くなり、簡単な構造で効果的にトレイの外れを防ぐことができる。
【００１６】
請求項４に記載の発明は、請求項１〜３いずれか１項記載の記録／再生装置におけるローディング機構において、突起部における情報記録媒体載置部の中央部分から遠い部位の方の側面を、近い部位に比べて長くしたことを特徴とし、この構成によって、嵌合量が多くなり、簡単な構造で効果的にトレイの外れを防ぐことができる。
【００１７】
請求項５に記載の発明は、請求項１〜４いずれか１項記載の記録／再生装置におけるローディング機構において、保持部材に突起部を設け、トレイに突起部を跨いで遊嵌するように溝部を設けたことを特徴とし、この構成によって、簡素化された構造でトレイの外れをより確実に防ぐことができる。
【００１８】
請求項６に記載の発明は、請求項５記載の記録／再生装置におけるローディング機構において、トレイに設けられた溝部の両側における情報記録媒体載置部の中央部分から遠い部位に対向する保持部材に凹部を設けたことを特徴とし、この構成によって、高さを抑えた簡単な構成で溝部の延出端を受けることができ、トレイの外れを確実に防ぐことができる。
【００１９】
【発明の実施の形態】
以下、本発明の実施形態を図面を参照して説明する。
【００２０】
図１，図２は本発明の実施形態１を説明するための光ディスクドライブ装置の要部を示す一部断面平面図であり、本実施形態における各部材の基本構成は図６〜図８にて説明した構成と同様であって、同一機能のものには同一符号を付して詳しい説明は省略する。
【００２１】
図１において、装置本体１内部の前面パネル５側のトレイ保持部材としてのフレーム７には、トレイ３を矢印Ａ，Ａ’方向に駆動するローディング機構としてのトレイ駆動機構１１が設置され、また、フレーム７のほぼ中央部には、光ディスクを回転駆動するターンテーブル１２が設置されている。
【００２２】
前記トレイ駆動機構１１は、回転軸１３ａを時計回り又は反時計回りに回転駆動するモータ１３と、該モータ１３の回転軸１３ａに固定されたプーリ１４と、モータ１３近傍に設けられた複数のギアから成るギア列１５と、プーリ１４の回転をギア列１５を構成する１つのギア１７に伝達する駆動ベルト１８とを備えている。ギア列１５を構成するギアのうちの最もＹ側に位置するギア１９は、図３に示すように、トレイ３に設けられたラック２０と噛み合い、一種のピニオンとして機能する。
【００２３】
このように構成されるトレイ駆動機構１１では、モータ１３の回転軸１３ａの回転により、プーリ１４および駆動ベルト１８を介してギア列１５を構成する個々のギアが駆動される。そしてＹ方向端部に位置するギア１９が反時計回りまたは時計回りに回転駆動されることによって、ラック２０を介してトレイ３を矢印Ａ方向または矢印Ａ’方向に駆動するようになっている。この場合、プーリ１４，駆動ベルト１８、およびギア列１５によって、モータ１３の回転を減速してギア１９、さらにはラック２０に伝達する減速機構が構成されている。
【００２４】
ここで、トレイ３が矢印Ａ方向に所定距離だけ駆動され、図１の二点鎖線で示す位置に達すると、トレイ３の更なる矢印Ａ方向への移動が阻止されるようになっている。この状態（第２の位置）では、トレイ３がドライブ装置本体１の外部に完全に露出するため、ユーザはトレイ３上に光ディスクをセットしたり、あるいはトレイ３から光ディスクを取り出すことができる。
【００２５】
また、トレイ３が矢印Ａ’方向に最大限に移動し、図２に実線で示されるように、装置本体１内に完全に収容された状態（第１の位置）では、トレイ３に形成された開口３ｂのＸ方向側の壁に対して僅かに隙間を空けた位置にターンテーブル１２が位置するようになっており、トレイ３上に光ディスクが載置されている場合には、光ディスクに対する情報の記録、あるいは光ディスクに記録された情報の再生、あるいは消去が可能となっている。
【００２６】
図１において、フレーム７におけるＹ方向の両端部分には、Ｚ方向に突出した状態の複数（本例では片側６つ）の突出部としてのボス２１がＸ軸にほぼ平行な一直線上に設けられている。また、フレーム７におけるボス２１が形成された近傍には、ＸＹ平面を有する複数（本例では片側４つ）のトレイ高さ規制用のリブ２２が一体成形にてＸ方向にほぼ平行な一直線上に設けられている。
【００２７】
一方、トレイ３のＹ方向における両端部のそれぞれには、図３，図４に示すように、Ｘ方向を長手方向とする溝部２３が形成されたガイド部２４が設けられおり、これらの溝部２３にフレーム７のボス２１が遊嵌するようになっている。また、トレイ３の溝部２３の両側部分におけるディスク載置部３ａの中央部分から遠い方の部位（図では外側）２４ａが近い方の部位（図では内側）２４ｂに比べて、延出量が長く、ボス２１との嵌合量が大きくなるように設定されている。
【００２８】
このように、トレイ３は、ボス２１に沿って（ボス２１をガイドとして）、図１の矢印Ａ，Ａ’方向にスライド移動（摺動）可能であって、さらに、ボス２１およびリブ２２により、フレーム７から外れることが防止される。
【００２９】
本実施形態では、前記ボス２１と前記溝部２３との嵌合量を大きくするために、前記トレイ３におけるディスク載置部３ａの中央部分から近い部位と遠い部位とで等しく延出させないことにより、トレイ３のガイド部分に占める領域を極力長大化せずに、確実な移動ガイドと、トレイ３の外れ防止とが可能になる。
【００３０】
ここで、例えばトレイ３が第２の位置にあって、ドライブ装置のジッタ方向（トレイの左右方向：図２の矢印Ｂ方向）に外力が作用した場合を考えると、図８を参照して説明したように、トレイ３およびフレーム７が大きく弾性変形して、ボス２１と溝部２３の嵌合が外れる場合がある。
【００３１】
このときトレイ３の左右のどちらから外力を受けた場合でも、直接外力を受ける部分は外力を受けた側のボス２１になる。そして、反対側のボス２１にかかる外力は、トレイ３の弾性変形によって運動エネルギがポテンシャルエネルギに変換されるために緩和されている。そのためトレイ３の溝部２３がボス２１から外れることを防ぐためには、トレイ３の外側部分を伸ばし、フレーム７もそれに対応した形状とすることが望ましい。
【００３２】
前記のようなトレイ３の外れを防止するため、弾性変形を押さえるような構造にした場合には、材料選定の自由度が低減するとともに、機構の構造自体も大型化してしまう。
【００３３】
そこで、実施形態１では、前記のようなトレイ３の外れ防止を実現し、さらに小型化に貢献するために、図３，図４に示すように、トレイ３の溝部２３側壁の外側２４ａのみを延出させることによって、ボス２１と溝部２３との実質的な嵌合深さを増加させるようにしている。
【００３４】
図５は本発明の実施形態２を説明するための光ディスクドライブ装置におけるトレイとフレームとの関連構成の一部を示す断面図であり、実施形態２では、フレーム７のボス２１の高さを、トレイ３のディスク載置部３ａの中央部から遠い方の部位（図では外側の側面）２１ａが近い方の部位（図では内側の側面）２１ｂに比べて長くなるように、トレイ３の溝部２３側壁における外側２４ａの下端面に対向するフレーム７に凹部２５を形成して、トレイ３の溝部２３とボス２１との嵌合量が大きくなるようにしている。
【００３５】
このように本実施形態では、トレイ３の溝部２３の両側部分を長くして、トレイ３の溝部２３を深くし、フレーム７のボス２１との嵌合量を大きくすることに比べて装置の小型化に貢献することになる。
【００３６】
なお、トレイ３の移動ガイド部を構成する前記溝部２３と前記ボス２１の設置構成は、前記実施形態の構成に限定されず、トレイ３とフレーム７とのいずれかに溝部が設けられ、他方に溝部に対応して突起部が設けられる構成にすればよく、仕様によって適宜選択して採用する。
【００３７】
【発明の効果】
以上説明したように、本発明によれば、情報記録媒体が載置されるトレイと、このトレイを情報記録媒体に対して記録／再生を行うための第１の位置と情報記録媒体の取り出しを可能にする第２の位置との間を移動させるためのローディング機構とを備えた記録／再生装置において、前記トレイと、該トレイを保持する保持部材とのいずれか一方にトレイガイド用の溝部を設け、他方に該溝部に遊嵌するトレイガイド用の突起部を設け、前記溝部と前記突起部との嵌合量を、前記トレイにおける情報記録媒体載置部の中央部分から近い部位と遠い部位とで異なるように設定したことによって、トレイガイド用の溝部と突起部との嵌合領域を大きくしてトレイの保持性の向上を図っても、トレイガイド部分の周辺部全体を大きくすることにならず、したがって、新規に部品を追加せずに、装置を大型化することなく、トレイ排出状態における当該トレイの保持性を向上させることができる。
【図面の簡単な説明】
【図１】本発明の実施形態を説明するための光ディスクドライブ装置の要部を示す一部断面平面図
【図２】本実施形態を説明するための光ディスクドライブ装置の要部を示す一部断面平面図
【図３】実施形態１におけるトレイ内部の一部を示す斜視図
【図４】実施形態１におけるトレイとフレームとの関連構成を示す断面図
【図５】本発明の実施形態２を説明するための光ディスクドライブ装置におけるトレイとフレームとの関連構成を示す断面図
【図６】光ディスクドライブ装置におけるトレイの一構成例を説明するための斜視図
【図７】従来のトレイとフレームとの関連構成を示す断面図
【図８】従来のトレイとフレームとの関連構成の問題点の説明図
【符号の説明】
１  装置本体
３  トレイ
３ａ  ディスク載置部
７  フレーム
１１  トレイ駆動機構
２０  ラック
２１  ボス
２２  リブ
２３  溝部
２４  ガイド部
【図１】
2004227655.tif 000003
【図２】
2004227655.tif 000004
【図３】
2004227655.tif 000005
【図４】
2004227655.tif 000006
【図５】
2004227655.tif 000007
【図６】
2004227655.tif 000008
【図７】
2004227655.tif 000009
【図８】
2004227655.tif 000010